(57)【要約】【課題】二重母線方式において、ブスタイに流れる電流を計測する電流センサの配置に関係なく母線保護を実行する母線保護装置を提供する。【解決手段】第１母線と第２母線とを接続するブスタイに発生した事故に対応して、ブスタイに設置されたブスタイ遮断器を少なくとも開く第２母線保護動作を実行する第２母線比率差動リレーＲＤｆＢと、ブスタイに流れた過電流を検出する過電流検出部ＣＴ５と、第１母線に印加された異常電圧を検出する第１母線異常電圧検出部１２２Ａと、第２母線保護動作が行われ且つ過電流及び異常電圧が検出された場合にブスタイに流れた電流の計測値を零に設定する計測値設定部１２３１と、第１母線に接続する送電線に流れた電流と零に設定された計測値とに従って送電線に設置された送電線遮断器を少なくとも開く第１母線保護動作を実行する第１母線比率差動リレーＲＤｆＡとを備えて母線保護装置１を構成する。【選択図】図２
2019004661.tif 000002
【特許請求の範囲】
【請求項１】
第１母線と第２母線とを接続するブスタイに発生した事故に対応して、前記ブスタイに設置されたブスタイ遮断器を少なくとも開く第２母線保護動作を実行する第２母線比率差動リレーと、
前記ブスタイに流れた過電流を検出する過電流検出部と、
前記第１母線に印加された異常電圧を検出する第１母線異常電圧検出部と、
前記第２母線保護動作が行われ且つ前記過電流及び前記異常電圧が検出された場合に前記ブスタイに流れた電流の計測値を零に設定する計測値設定部と、
前記第１母線に接続する送電線に流れた電流と、零に設定された前記計測値とに従って、前記送電線に設置された送電線遮断器を少なくとも開く第１母線保護動作を実行する第１母線比率差動リレーと
を含む、二重母線における母線保護装置。
【請求項２】
第１母線と第２母線とを接続するブスタイに流れた過電流を検出する過電流検出部と、
前記第１母線に印加された異常電圧を検出する第１母線異常電圧検出部と、
前記第２母線に印加された異常電圧を検出する第２母線異常電圧検出部と、
前記過電流が検出され且つ前記第１母線又は前記第２母線の前記異常電圧が検出された場合に前記ブスタイに流れた電流の計測値を零に設定する計測値設定部と、
前記第１母線に接続する送電線に流れた電流と、零に設定された前記計測値とに従って、前記送電線に設置された送電線遮断器を少なくとも開く第１母線保護動作を実行する第１母線比率差動リレーと
を含む、二重母線における母線保護装置。
【請求項３】
前記過電流検出部は、前記ブスタイの零相電流に対して前記過電流を検出し、
前記第１母線異常電圧検出部は、前記第１母線の零相電圧に対して過電圧を検出する
請求項１または請求項２に記載の母線保護装置。
【請求項４】
前記過電流検出部は、前記ブスタイを構成する各相の送電線に流れた電流に対して過電流を検出し、
前記第１母線異常電圧検出部は、前記第１母線を構成する各相の送電線間に生じた線間電圧に対して不足電圧を検出する
請求項１または請求項２に記載の母線保護装置。
【請求項５】
前記過電流及び前記異常電圧の検出を所定時間遅延させて前記計測値設定部へ出力する遅延部を更に含む、請求項１に記載の母線保護装置。
【請求項６】
前記第１母線から前記第２母線へ流れる電流値は、前記第２母線から前記第１母線へ流れる電流の計測値を基に取得される
請求項１〜５の何れか一項に記載の母線保護装置。
【発明の詳細な説明】
【技術分野】
【０００１】
本発明は短絡・地絡事故が発生した側の母線を、電力系統から切離すために事故発生母線の遮断器に開放出力を出す母線保護装置に関する。
【背景技術】
【０００２】
変電所の母線方式には、例えば、二重母線方式がある。二重母線方式は、２つの母線と、２つの母線を接続するブスタイ（母線連絡）とを備える。発電機側の送電線及び負荷側の送電線は、２つの母線間に設けられた断路器が切り替わることによって、２つの母線の内の一方の母線に接続する。
【０００３】
また、地絡事故や短絡事故等が生じた場合に母線を保護するために、例えば、比率差動リレーが各母線に対して設けられる。比率差動リレーは、送電線から母線に流入する電流と該母線からブスタイへ流出する電流との差電流を計算する。或いは、比率差動リレーは、ブスタイから母線に流入する電流と該母線から送電線へ流出する電流との差電流を計算する。計算した差電流が零でない場合、比率差動リレーは、ブスタイに設けられた遮断器と、母線に接続する送電線に設けられた遮断器とを開放し、事故の発生した系統から母線を切り離すことにより母線を保護する。
【０００４】
なお、関連する技術として特許文献１〜３に記載の以下のような技術が知られている。
特許文献１に記載の距離継電装置は、１遮断器母線系統に適用され、母線側ＣＴ２次電流を変換する補助変成器と、母線中央側ＣＴ２次電流を変換する変成器と、２つのＣＴの和電流を変換する補助変成器とで構成される。また、距離継電装置は、送電線に接続したＰＴの２次電圧を変換する補助変成器と、送電線断路器の開閉状態を認識する手段と、ＣＴ和電流とＰＴの２次信号とにより付勢された距離継電器と、母線側ＣＴ電流と母線中央側ＣＴ電流による比率差動継電器とで更に構成される。そして、距離継電装置は、送電線断路器が閉路している場合には距離継電器の動作により遮断器に対して遮断指令を出力し、送電線断路器が開路している場合に限り比率差動継電器の動作により遮断器に対して遮断指令を出力する手段を更に備える。
【０００５】
特許文献２に記載の母線保護継電装置は、母線遮断器「切」のとき母連電流「零」制御されており、母連遮断器に流れる相手側母連電流及び自己側母線流入電流を検出して母線保護する。母線保護継電装置には、母連遮断器の投入指令を取り込む回路と、この取り込んだ投入指令により母連電流「零」制御を解除する回路とが設けられ、片側母線試充電時における母連電流「零」制御解除遅れをなくしたことを特徴とする。
【０００６】
特許文献３に記載の盲点故障検出システムは、多端子送電線系統で発生する盲点事故の検出を行い、開閉検知手段、電流データ検出手段、及び判定手段を備える。開閉検知手段は、各端子に設置された遮断器の開閉を検知する。電流データ検出手段は、当該端子において電流データを検出する。判定手段は、開閉検知手段によって検知される遮断器の開閉が開の状態にあることと、電流データ検出手段によって検出された電流データが予め設定された整定値を越えていることとの論理積に基づいて盲点事故を判定する。
【先行技術文献】
【特許文献】
【０００７】
【特許文献１】特開平５−８３８４４号公報
【特許文献２】特開平７−１３１９２９号公報
【特許文献３】特開平９−２００９４６号公報
【発明の概要】
【発明が解決しようとする課題】
【０００８】
しかしながら、ブスタイに流れる電流を計測する電流センサの配置によっては、該ブスタイで発生した事故に対応して比率差動リレーが動作せず、母線を保護できない盲点事故が発生し得る。
【０００９】
本発明の一側面にかかる目的は、二重母線方式において、ブスタイに流れる電流を計測する電流センサの配置に関係なく母線保護を実行する母線保護装置を提供することである。
【課題を解決するための手段】
【００１０】
一実施形態に従った母線保護装置は、第２母線比率差動リレー、過電流検出部、第１母線異常電圧検出部、計測値設定部、及び第１母線比率差動リレーを備える。第２母線比率差動リレーは、第１母線と第２母線とを接続するブスタイに発生した事故に対応して、ブスタイに設置されたブスタイ遮断器を少なくとも開く第２母線保護動作を実行する。過電流検出部は、ブスタイに流れた過電流を検出する。第１母線異常電圧検出部は、第１母線に印加された異常電圧を検出する。計測値設定部は、第２母線保護動作が行われ且つ過電流及び異常電圧が検出された場合にブスタイに流れた電流の計測値を零に設定する。第１母線比率差動リレーは、第１母線に接続する送電線に流れた電流と、零に設定された計測値とに従って、送電線に設置された送電線遮断器を少なくとも開く第１母線保護動作を実行する。
【発明の効果】
【００１１】
一実施形態に従った母線保護装置によれば、二重母線方式において、ブスタイに流れる電流を計測する電流センサの配置に関係なく母線保護を実行できる。
【図面の簡単な説明】
【００１２】
【図１】実施形態に従った母線保護装置が適用される電力系統の構成例を示す図である。
【図２】実施形態に従った母線保護装置の第１の構成例を示す図である。
【図３】盲点保護が不要なブスタイの電流センサの配置例を示す図である。
【図４】第５及び第６電流センサの機能を兼ね備えた１つの電流センサの構成例を示す図である。
【図５】実施形態に従った母線保護装置の各部の動作を説明する例示的なタイミングチャートである。
【図６】実施形態に従った母線保護装置の第２の構成例を示す図である。
【発明を実施するための形態】
【００１３】
以下、図面に基づいて実施形態について詳細を説明する。
【００１４】
＜母線保護装置を含む電力系統＞
図１は、実施形態に従った母線保護装置が適用される電力系統の構成例を示す図である。図１に示す一例では、電力系統ＰＳは、第１母線ＬＡと、第２母線ＬＢと、第１母線ＬＡと第２母線ＬＢとを接続するブスタイＢＴとが備えられた二重母線方式の電力系統である。
【００１５】
第１送電線Ｌ１〜第４送電線Ｌ４は、第１母線ＬＡと第２母線ＬＢとの間に設置された第１断路器ＤＳ１〜第８断路器ＤＳ８が切り替わることによって、第１母線ＬＡ又は第２母線ＬＢに接続する。例えば、図１に示す一例では、第１発電機Ｐ１側の第１送電線Ｌ１は、第１断路器ＤＳ１が閉じ、第２断路器ＤＳ２が開くことによって、受電側の第１母線ＬＡに接続する。第２発電機Ｐ２側の第２送電線Ｌ２は、第５断路器ＤＳ５が閉じ、第６断路器ＤＳ６が開くことによって第１母線ＬＡに接続する。第１負荷ＬＤ１側の第３送電線Ｌ３は、第３断路器ＤＳ３が開き、第４断路器ＤＳ４が閉じることによって、送電側の第２母線ＬＢに接続する。第２負荷ＬＤ２側の第４送電線Ｌ４は、第７断路器ＤＳ７が開き、第８断路器ＤＳ８が閉じることによって第２母線ＬＢに接続する。なお、図１には、４つの送電線が２つの母線に接続する４回線母線の構成例が示されているが、実施形態に従った母線保護装置が適用される電力系統は、４回線母線に限られず、ｎ回線母線（ｎは１以上の整数）であってよい。
【００１６】
母線保護装置１は、実施形態に従った母線保護装置の一例である。母線保護装置１は、第１母線ＬＡ及び第２母線ＬＢを母線事故から保護する装置である。母線事故は、例えば、第１母線ＬＡ、第２母線ＬＢ、又はブスタイＢＴに生じた地絡事故や短絡事故等である。地絡事故は、第１母線ＬＡ、第２母線ＬＢ、或いはブスタイＢＴを構成する各相の送電線と地面とが接続する事故である。短絡事故は、第１母線ＬＡ、第２母線ＬＢ、或いはブスタイＢＴを構成する各相の送電線同士が接続する事故である。
【００１７】
例えば、破線で示す第１保護区域ＺＡにおいて第１母線ＬＡ又はブスタイＢＴに事故が発生した場合、母線保護装置１は、第１母線ＬＡを事故が発生した電力系統から切り離して保護する第１母線保護動作を実行する。具体的には、母線保護装置１は、遮断器開放指令（トリップ指令）を第１遮断器ＣＢ１、第２遮断器ＣＢ２、及びブスタイ遮断器ＣＢＢＴへ出力する。また、例えば、破線で示す第２保護区域ＺＢにおいて第２母線ＬＢ又はブスタイＢＴに事故が発生した場合、母線保護装置１は、第２母線ＬＢを事故が発生した電力系統から切り離して保護する第２母線保護動作を実行する。具体的には、母線保護装置１は、遮断器開放指令を第３遮断器ＣＢ３、第４遮断器ＣＢ４、及びブスタイ遮断器ＣＢＢＴへ出力する。
【００１８】
第１遮断器ＣＢ１〜第４遮断器ＣＢ４は、送電線遮断器であり、対応する第１送電線Ｌ１〜第４送電線Ｌ４に設置された事故除去用スイッチである。ブスタイ遮断器ＣＢＢＴは、ブスタイＢＴに設置された事故除去用スイッチである。第１遮断器ＣＢ１〜第４遮断器ＣＢ４及びブスタイ遮断器ＣＢＢＴは、母線保護装置１から入力した遮断器開放指令に従って開く。例えば、第１遮断器ＣＢ１、第２遮断器ＣＢ２、及びブスタイ遮断器ＣＢＢＴが、事故発生時に入力した遮断器開放指令に従って開くと、第１母線ＬＡは、事故が発生した電力系統から切り離される。また、第３遮断器ＣＢ３、第４遮断器ＣＢ４、及びブスタイ遮断器ＣＢＢＴが、事故発生時に入力した遮断器開放指令に従って開くと、第２母線ＬＢは、事故が発生した電力系統から切り離される。
【００１９】
母線保護装置１は、第１送電線Ｌ１〜第４送電線Ｌ４及びブスタイＢＴに流れる各電流と、第１母線ＬＡ及び第２母線ＬＢに印加される各電圧とに基づいて、第１母線保護動作及び第２母線保護動作を実行する。
【００２０】
第１送電線Ｌ１〜第４送電線Ｌ４に流れる各電流は、第１電流センサＣＴ１〜第４電流センサＣＴ４が計測する。第１電流センサＣＴ１〜第４電流センサＣＴ４は、例えば、計器用変流器である。第１電流センサＣＴ１〜第４電流センサＣＴ４は、対応する第１送電線Ｌ１〜第４送電線Ｌ４に設置される。第１電流センサＣＴ１〜第４電流センサＣＴ４は、計測した電流を母線保護装置１へ出力する。
【００２１】
第１母線ＬＡからブスタイＢＴに流出する電流は第５電流センサＣＴ５が計測し、ブスタイＢＴから第２母線ＬＢに流入する電流は第６電流センサＣＴ６が計測する。第５電流センサＣＴ５及び第６電流センサＣＴ６は、例えば、計器用変流器である。第５電流センサＣＴ５及び第６電流センサＣＴ６は、計測した電流を母線保護装置１へ出力する。
【００２２】
第５電流センサＣＴ５及び第６電流センサＣＴ６はブスタイＢＴに設置される。具体的には、図１に示した一例では、第５電流センサＣＴ５及び第６電流センサＣＴ６は、ブスタイ遮断器ＣＢＢＴと第１母線ＬＡとの間のブスタイＢＴに設置される。
【００２３】
このように、図１に示す一例では、第５電流センサＣＴ５及び第６電流センサＣＴ６は、ブスタイ遮断器ＣＢＢＴの片側のブスタイＢＴに設置される。すなわち、第５電流センサＣＴ５及び第６電流センサＣＴ６は、図３に示すようにブスタイ遮断器ＣＢＢＴを挟んでブスタイＢＴに設置されない。図３は、盲点保護が不要なブスタイの電流センサの配置例を示す図である。第５電流センサＣＴ５及び第６電流センサＣＴ６は、例えば、１つの筐体内に一体的に構成してもよい。第５電流センサＣＴ５及び第６電流センサＣＴ６を一体的に構成すれば、２つの電流センサが別個に設置される場合と比較して設置コストを削減し得る。
【００２４】
また、第５電流センサＣＴ５及び第６電流センサＣＴ６が計測する電流の向き（正又は負）は互いに異なるが、両電流の絶対値は同じである。このため、一方の電流センサが計測した電流の向きを逆にすることで、他方の電流センサが計測する電流を求めることが可能である。そこで、図４に示すように、実施例によっては、第５電流センサＣＴ５及び第６電流センサＣＴ６は、両電流センサの機能を兼ね備えた１つの電流センサによって構成してもよい。図４は、第５及び第６電流センサの機能を兼ね備えた１つの電流センサの構成例を示す図である。図４に示す一例では、第５電流センサＣＴ５は設置されず、反転器ＩＮＶは、例えば利得―1のアナログアンプとして動作することによって、第６電流センサＣＴ６の計測値を反転する。この結果、第５電流センサＣＴ５を設置しなくても、第５電流センサＣＴ５の計測値と同じ電流値を取得できる。第５電流センサＣＴ５及び第６電流センサＣＴ６を１つの電流センサによって構成すれば、２つの電流センサが設置される場合と比較して設置コストを削減し得る。
【００２５】
第１母線ＬＡに印加される電圧は第１電圧センサＶＴＡが計測し、第２母線ＬＢに印加される電圧は第２電圧センサＶＴＢが計測する。第１電圧センサＶＴＡは、第１母線ＬＡに設置され、計測した電圧を母線保護装置１へ出力する。第２電圧センサＶＴＢは、第２母線ＬＢに設置され、計測した電圧を母線保護装置１へ出力する。
【００２６】
＜母線保護装置＞
母線保護装置１の構成例を示しながら、母線保護装置１が実行する母線保護動作の具体例を以下に説明する。
【００２７】
＜＜第１の構成例＞＞
図２は、実施形態に従った母線保護装置の第１の構成例を示す図である。図２に示す第１の構成例では、母線保護装置１は、アナログ／デジタル（Ａ／Ｄ（Analog/Digital））変換器１１及び処理部１２を備える。
【００２８】
アナログ／デジタル変換器１１には、第１電流センサＣＴ１〜第６電流センサＣＴ６が出力した各電流のアナログ信号が入力する。アナログ／デジタル変換器１１は、各電流のアナログ信号をデジタル信号に変換し、デジタル信号である各電流を処理部１２へ出力する。
【００２９】
また、アナログ／デジタル変換器１１には、第１電圧センサＶＴＡ及び第２電圧センサＶＴＢが出力した各電圧のアナログ信号が入力する。アナログ／デジタル変換器１１は、各電圧のアナログ信号をデジタル信号に変換し、デジタル信号である各電圧を処理部１２へ出力する。
【００３０】
処理部１２は、例えば、ＣＰＵ（Central Processing Unit）、マルチコアＣＰＵ、又はプログラマブルなデバイス（ＦＰＧＡ（Field Programmable Gate Array）やＰＬＤ（Programmable Logic Device）等）である。処理部１２には、アナログ／デジタル変換器１１が出力した各電流及び各電圧が入力する。処理部１２は、入力した各電流及び各電圧に基づいて母線保護動作を実行する。図２に示す第１の構成例では、処理部１２は、第１母線比率差動リレーＲＤｆＡ及び第２母線比率差動リレーＲＤｆＢを含む。
【００３１】
＜＜片母線保護＞＞
例えば、地絡事故又は短絡事故といった事故が第１母線ＬＡの任意の事故点ＦＡ（図１参照）で生じた場合、事故点ＦＡが第１保護区域ＺＡに存在するため、第１母線比率差動リレーＲＤｆＡは、次の説明のような第１母線保護動作を実行する。第１母線比率差動リレーＲＤｆＡは、第１電流センサＣＴ１及び第２電流センサＣＴ２が計測した電流と、第５電流センサＣＴ５が計測した電流との差電流を計算する。第１電流センサＣＴ１が計測した電流は、第１送電線Ｌ１から第１母線ＬＡに流入する電流であり、第２電流センサＣＴ２が計測した電流は、第２送電線Ｌ２から第１母線ＬＡに流入する電流である。また、第５電流センサＣＴ５が計測した電流は、第１母線ＬＡからブスタイＢＴへ流出する電流である。事故が発生していない通常運用時には、差電流は零である。しかしながら、事故点ＦＡで事故が発生した場合、事故点ＦＡに向かって大きい電流が流れるので、差電流は零にならない。そこで、第１母線比率差動リレーＲＤｆＡは、計算した差電流に基づいて第１母線保護動作を実行する。すなわち、第１母線比率差動リレーＲＤｆＡは、遮断器開放指令を第１遮断器ＣＢ１、第２遮断器ＣＢ２、及びブスタイ遮断器ＣＢＢＴへ出力する。遮断器開放指令は、例えば、論理値“１”の信号である。このように、第１母線比率差動リレーＲＤｆＡは、比率差動リレーとして機能する。
【００３２】
また、例えば、地絡事故又は短絡事故といった事故が第２母線ＬＢの任意の事故点ＦＢ（図１参照）で生じた場合、事故点ＦＢが第２保護区域ＺＢに存在するため、第２母線比率差動リレーＲＤｆＢは、次の説明のような第２母線保護動作を実行する。第２母線比率差動リレーＲＤｆＢは、第６電流センサＣＴ６が計測した電流と第３電流センサＣＴ３及び第４電流センサＣＴ４が計測した電流との差電流を計算する。第６電流センサＣＴ６が計測した電流は、ブスタイＢＴから第２母線ＬＢに流入する電流である。また、第３電流センサＣＴ３が計測した電流は、第２母線ＬＢから第３送電線Ｌ３に流出する電流であり、第４電流センサＣＴ４が計測した電流は、第２母線ＬＢから第４送電線Ｌ４に流出する電流である。事故が発生していない通常運用時には、差電流は零である。しかしながら、事故点ＦＢで事故が発生した場合、事故点ＦＢに向かって大きい電流が流れるので、差電流は零にならない。そこで、第２母線比率差動リレーＲＤｆＢは、計算した差電流に基づいて第２母線保護動作を実行する。すなわち、第２母線比率差動リレーＲＤｆＢは、遮断器開放指令を第３遮断器ＣＢ３、第４遮断器ＣＢ４、及びブスタイ遮断器ＣＢＢＴへ出力する。このように、第２母線比率差動リレーＲＤｆＢは、比率差動リレーとして機能する。
【００３３】
＜＜盲点事故の場合＞＞
更に、例えば、地絡事故又は短絡事故といった事故が事故点ＦＢＴ（図１参照）に発生した場合、処理部１２は、次の説明のような第１母線保護動作及び第２母線保護動作を実行する。図１に示すように、事故点ＦＢＴは、第５電流センサＣＴ５及び第６電流センサＣＴ６とブスタイ遮断器ＣＢＢＴとの間のブスタイＢＴに存在する事故点である。
【００３４】
事故点ＦＢＴで事故が発生した場合、第６電流センサＣＴ６が計測した電流は、前述した通常運用時と同じである。しかしながら、事故点ＦＢＴで事故が発生した場合、第３送電線Ｌ３及び第４送電線Ｌ４から第２母線ＬＢに電流が流れる。すなわち、第３電流センサＣＴ３及び第４電流センサＣＴ４が計測した電流の向きは通常運用時の電流の向きとは逆になる。このため、第２母線比率差動リレーＲＤｆＢが計算した差電流は零にならない。そこで、第２母線比率差動リレーＲＤｆＢは、計算した差電流に基づいて第２母線保護動作を実行する。すなわち、第２母線比率差動リレーＲＤｆＢは、遮断器開放指令を第３遮断器ＣＢ３、第４遮断器ＣＢ４、及びブスタイ遮断器ＣＢＢＴへ出力する。
【００３５】
また、事故点ＦＢＴで事故が発生した場合、第１電流センサＣＴ１及び第２電流センサＣＴ２が計測した電流の向きは、前述した通常運用時と同じである。また、図１に示す構成例では、第１母線ＬＡとブスタイ遮断器ＣＢＢＴとの間のブスタイＢＴに第５電流センサＣＴ５が設置されているため、第５電流センサＣＴ５が計測する電流も通常運用時と同じである。この結果、第１母線比率差動リレーＲＤｆＡが計算した差電流は零になる。このため、上述したような差電流に基づいては第１母線保護動作が実行されない。
【００３６】
なお、仮に、ブスタイ遮断器ＣＢＢＴと第２母線ＬＢとの間のブスタイＢＴに第５電流センサＣＴ５が設置された場合（図３）には、差電流に基づいて第１母線保護動作が実行される。具体的には、事故点ＦＢＴで事故が発生した場合、第２母線ＬＢからブスタイＢＴに向かって電流が流れ、第５電流センサＣＴ５が計測した電流の向きは通常運用時の電流の向きとは逆になる。このため、第１母線比率差動リレーＲＤｆＡが計算した差電流は零にならない。そこで、第１母線比率差動リレーＲＤｆＡは、計算した差電流に基づいて第１母線保護動作を実行する。すなわち、第１母線比率差動リレーＲＤｆＡは、遮断器開放指令を第１遮断器ＣＢ１、第２遮断器ＣＢ２、及びブスタイ遮断器ＣＢＢＴへ出力する。したがって、ブスタイ遮断器ＣＢＢＴと第２母線ＬＢとの間のブスタイＢＴに第５電流センサＣＴ５が設置された場合（図３）には、第１母線ＬＡが電力系統から切り離されない盲点事故は生じない。
【００３７】
上述のように、図１に示すような位置に第５電流センサＣＴ５が設置された場合には、事故が発生した電力系統から第１母線ＬＡが切り離されない盲点事故が生じる可能性がある。しかしながら、事故点ＦＢＴで事故が発生した場合、処理部１２は、以下の説明のように第１母線保護動作を実行し、発生した事故が盲点事故であることを検出し、事故を除去する。
【００３８】
図２に示すように、処理部１２は、第１過電流検出部１２１Ａ、第２過電流検出部１２１Ｂ、第１母線異常電圧検出部１２２Ａ、及び第２母線異常電圧検出部１２２Ｂを更に含む。また、処理部１２は、第１動作遅延タイマＴＯＮ１、第２動作遅延タイマＴＯＮ２、第１復帰遅延タイマＴＯＦＦ１、第２復帰遅延タイマＴＯＦＦ２、第１論理積部ＡＮＤ１、第２論理積部ＡＮＤ２、第１計測値設定部１２３１、及び第２計測値設定部１２３２を含む。
【００３９】
事故点ＦＢＴで事故が発生した場合の母線保護装置１の各部の動作を図５に示すタイミングチャートに沿って以下で更に説明する。図５は、実施形態に従った母線保護装置の各部の動作を説明する例示的なタイミングチャートである。
【００４０】
第１過電流検出部１２１Ａ及び第２過電流検出部１２１Ｂは、ブスタイＢＴに流れる過電流を検出する過電流検出部の一例である。第１過電流検出部１２１Ａは、第５電流センサＣＴ５が計測した電流が所定レベルを超えた場合にブスタイＢＴに流れる過電流を検出する。また、第２過電流検出部１２１Ｂは、第６電流センサＣＴ６が計測した電流が所定レベルを超えた場合にブスタイＢＴに流れる過電流を検出する。過電流を検出した場合、第１過電流検出部１２１Ａ及び第２過電流検出部１２１Ｂは、過電流の検出を示す過電流検出信号を出力する。過電流の検出を示す過電流検出信号は、例えば、論理値“１”の信号である。
【００４１】
例えば、第１母線ＬＡ及び第２母線ＬＢを地絡事故から保護する構成では、第１過電流検出部１２１Ａ及び第２過電流検出部１２１Ｂは、地絡過電流リレー（ＯＣＧ）として機能する。具体的には、第１過電流検出部１２１Ａ及び第２過電流検出部１２１Ｂは、ブスタイＢＴを構成する各相の送電線に流れた電流の合成値から零相電流を計算する。該零相電流が所定レベルを超えた場合、第１過電流検出部１２１Ａ及び第２過電流検出部１２１Ｂは、地絡事故に起因した過電流を検出し、過電流の検出を示す過電流検出信号を出力する。
【００４２】
また、例えば、第１母線ＬＡ及び第２母線ＬＢを短絡事故から保護する構成では、第１過電流検出部１２１Ａ及び第２過電流検出部１２１Ｂは、各相過電流リレー（ＯＣ）として機能する。具体的には、ブスタイＢＴを構成する各相の送電線に流れた電流が所定レベルを超えた場合、第１過電流検出部１２１Ａ及び第２過電流検出部１２１Ｂは、短絡事故に起因した過電流を検出し、過電流の検出を示す過電流検出信号を出力する。
【００４３】
例えば、図５に示すように、事故点ＦＢＴでの事故発生から所要の動作時間経過後に、第１過電流検出部１２１Ａ及び第２過電流検出部１２１Ｂは、論理値“１”の過電流検出信号を出力する。なお、説明を明確にするために、図５に示す一例では、過電流検出信号が出力されるタイミングは、第２母線比率差動リレーＲＤｆＢが遮断器開放指令を出力するタイミングと同じであるが、両タイミングは異なっていてもよい。
【００４４】
第１母線異常電圧検出部１２２Ａは、第１電圧センサＶＴＡが計測した電圧に従って、第１母線ＬＡに印加された異常電圧を検出するユニットである。また、第２母線異常電圧検出部１２２Ｂは、第２電圧センサＶＴＢが計測した電圧に従って、第２母線ＬＢに印加された異常電圧を検出するユニットである。異常電圧を検出した場合、第１母線異常電圧検出部１２２Ａ及び第２母線異常電圧検出部１２２Ｂは、異常電圧の検出を示す異常電圧検出信号を出力する。異常電圧の検出を示す異常電圧検出信号は、例えば、論理値“１”の信号である。
【００４５】
例えば、第１母線ＬＡ及び第２母線ＬＢを地絡事故から保護する構成では、第１母線異常電圧検出部１２２Ａ及び第２母線異常電圧検出部１２２Ｂは、地絡過電圧リレー（ＯＶＧ）として機能する。具体的には、第１母線異常電圧検出部１２２Ａ及び第２母線異常電圧検出部１２２Ｂは、ブスタイＢＴを構成する各相の送電線に印加された電圧の合成値から零相電圧を計算する。計算した零相電圧が所定レベルを超えた場合、第１母線異常電圧検出部１２２Ａ及び第２母線異常電圧検出部１２２Ｂは、地絡事故に起因した過電圧を検出し、過電圧の検出を示す異常電圧検出信号を出力する。
【００４６】
また、例えば、第１母線ＬＡ及び第２母線ＬＢを短絡事故から保護する構成では、第１母線異常電圧検出部１２２Ａ及び第２母線異常電圧検出部１２２Ｂは、各相不足電圧リレー（ＵＶ）として機能する。具体的には、第１母線異常電圧検出部１２２Ａ及び第２母線異常電圧検出部１２２Ｂは、ブスタイＢＴを構成する各相の送電線の内、２相の送電線に印加された電圧の差分から線間電圧を計算する。計算した線間電圧が所定レベルを下回った場合、第１母線異常電圧検出部１２２Ａ及び第２母線異常電圧検出部１２２Ｂは、当該線間電圧の計算対象である２相の送電線間での短絡事故に起因した不足電圧を検出し、不足電圧の検出を示す異常電圧検出信号を出力する。
【００４７】
例えば、図５に示すように、事故点ＦＢＴでの事故発生から所要の動作時間経過後に、第１母線異常電圧検出部１２２Ａ及び第２母線異常電圧検出部１２２Ｂは、論理値“１”の異常電圧検出信号を出力する。なお、説明を明確にするために、図５に示す一例では、異常電圧検出信号が出力されるタイミングは、第２母線比率差動リレーＲＤｆＢが遮断器開放指令を出力するタイミングと同じであるが、両タイミングは異なっていてもよい。また、図５に示す一例では、異常電圧検出信号が出力されるタイミングは、前述の過電流検出信号が出力されるタイミングと同じであるが、両タイミングは異なっていてもよい。
【００４８】
第１論理積部ＡＮＤ１は、第１過電流検出部１２１Ａが出力した過電流検出信号と第１母線異常電圧検出部１２２Ａが出力した異常電圧検出信号との論理積を演算し、演算結果を第１動作遅延タイマＴＯＮ１へ出力する。また、第２論理積部ＡＮＤ２は、第２過電流検出部１２１Ｂが出力した過電流検出信号と第２母線異常電圧検出部１２２Ｂが出力した異常電圧検出信号との論理積を演算し、演算結果を第２動作遅延タイマＴＯＮ２へ出力する。
【００４９】
事故点ＦＢＴで事故が発生した場合、第１論理積部ＡＮＤ１及び第２論理積部ＡＮＤ２には、過電流検出信号の論理値“１”と異常電圧検出信号の論理値“１”とが入力する。第１論理積部ＡＮＤ１及び第２論理積部ＡＮＤ２は、入力した論理値に対する論理積の演算結果として論理値“１”を出力する。
【００５０】
第１動作遅延タイマＴＯＮ１は、論理値“１”といったオン信号が第１論理積部ＡＮＤ１から入力した場合に、該オン信号を第１計測値設定部１２３１へ出力するタイミングを所定時間遅延する遅延部である。遅延時間である所定時間は、第２母線比率差動リレーＲＤｆＢが遮断器開放指令を出力してからブスタイ遮断器ＣＢＢＴが開くまでの時間以上に予め設定される。また、第２動作遅延タイマＴＯＮ２は、論理値“１”といったオン信号が第２論理積部ＡＮＤ２から入力した場合に、該オン信号を第２計測値設定部１２３２へ出力するタイミングを所定時間遅延する遅延部である。遅延時間である所定時間は、第１母線比率差動リレーＲＤｆＡが遮断器開放指令を出力してからブスタイ遮断器ＣＢＢＴが開くまでの時間以上に予め設定される。
【００５１】
事故点ＦＢＴで事故が発生した場合、論理値“１”が第１論理積部ＡＮＤ１及び第２論理積部ＡＮＤ２に入力する。そこで、第１動作遅延タイマＴＯＮ１及び第２動作遅延タイマＴＯＮ２は上述の遅延動作を実行する。
【００５２】
第１復帰遅延タイマＴＯＦＦ１は、遮断器開放指令の不出力を示す論理値“０”といったオフ信号が第２母線比率差動リレーＲＤｆＢから入力した場合に、該オフ信号を第１計測値設定部１２３１へ出力するタイミングを所定時間遅延する遅延部である。遅延時間である所定時間は、第１母線比率差動リレーＲＤｆＡが遮断器開放指令を出力してから第１遮断器ＣＢ１及び第２遮断器ＣＢ２が開くまでの時間以上に予め設定される。また、第２復帰遅延タイマＴＯＦＦ２は、遮断器開放指令の不出力を示す論理値“０”といったオフ信号が第１母線比率差動リレーＲＤｆＡから入力した場合に、該オフ信号を第２計測値設定部１２３２へ出力するタイミングを所定時間遅延する遅延部である。遅延時間である所定時間は、第２母線比率差動リレーＲＤｆＢが遮断器開放指令を出力してから第３遮断器ＣＢ３及び第４遮断器ＣＢ４が開くまでの時間以上に予め設定される。
【００５３】
図５に示す一例では、第２母線比率差動リレーＲＤｆＢは、計算した差電流に基づいて遮断器開放指令を出力する（図５の“動作”）。この結果、遮断器開放指令の出力を示す論理値“１”が第２母線比率差動リレーＲＤｆＢから第１復帰遅延タイマＴＯＦＦ１に入力する。そこで、第１復帰遅延タイマＴＯＦＦ１は、遅延動作を実行せずに、入力した論理値“１”を第１計測値設定部１２３１へ出力する。
【００５４】
また、第１母線比率差動リレーＲＤｆＡは、第２母線比率差動リレーＲＤｆＢが遮断器開放指令を出力したタイミング（図５の“動作”として示すタイミング）においては、計算した差電流に基づいて遮断器開放指令を出力しない。このため、不出力を示す論理値“０”が第２復帰遅延タイマＴＯＦＦ２に継続して入力する。そこで、第２復帰遅延タイマＴＯＦＦ２は、遅延動作を実行せずに、入力した論理値“０”を第２計測値設定部１２３２へ出力する。
【００５５】
第１計測値設定部１２３１は、第１動作遅延タイマＴＯＮ１が出力した論理値と第１復帰遅延タイマＴＯＦＦ１が出力した論理値との論理積を演算し、演算結果である論理値を第１母線比率差動リレーＲＤｆＡへ出力する。また、第２計測値設定部１２３２は、第２動作遅延タイマＴＯＮ２が出力した論理値と第２復帰遅延タイマＴＯＦＦ２が出力した論理値との論理積を演算し、演算結果である論理値を第２母線比率差動リレーＲＤｆＢへ出力する。
【００５６】
第１計測値設定部１２３１が出力する論理値は、第５電流センサＣＴ５が計測した電流、すなわち、第１母線ＬＡからブスタイＢＴに流出した電流の計測値を零に設定するか否かを示す論理値である。また、第２計測値設定部１２３２が出力する論理値は、第６電流センサＣＴ６が計測した電流、すなわち、ブスタイＢＴから第２母線ＬＢに流入した電流の計測値を零に設定するか否かを示す論理値である。例えば、論理値“１”は、計測値を零に設定することを示す論理値であり、論理値“０”は、計測値を零に設定しないことを示す論理値である。このように、第１計測値設定部１２３１及び第２計測値設定部１２３２は、ブスタイに流れた電流の計測値を零に設定するユニットである。
【００５７】
事故点ＦＢＴで事故が発生した場合、第２母線比率差動リレーＲＤｆＢからの遮断器開放指令の出力を示す論理値“１”と、第１動作遅延タイマＴＯＮ１が出力した論理値“１”とが第１計測値設定部１２３１に入力する。第１計測値設定部１２３１は、入力した２つの論理値の論理積を演算し、演算結果として論理値“１”を第１母線比率差動リレーＲＤｆＡへ出力する。
【００５８】
また、第２母線比率差動リレーＲＤｆＢが遮断器開放指令を出力したタイミングでは、第１母線比率差動リレーＲＤｆＡからの遮断器開放指令の不出力を示す論理値“０”と、第２動作遅延タイマＴＯＮ２が出力した論理値“１”とが第２計測値設定部１２３２に入力する。第２計測値設定部１２３２は、入力した２つの論理値の論理積を演算し、演算結果として論理値“０”を第２母線比率差動リレーＲＤｆＢへ出力する。
【００５９】
第１母線比率差動リレーＲＤｆＡは、第１計測値設定部１２３１から入力した論理値に従って第５電流センサＣＴ５が計測した電流、すなわち、第１母線ＬＡからブスタイＢＴに流出した電流の計測値を変更する。また、第２母線比率差動リレーＲＤｆＢは、第２計測値設定部１２３２から入力した論理値に従って第６電流センサＣＴ６が計測した電流、すなわち、ブスタイＢＴから第２母線ＬＢに流入した電流の計測値を変更する。
【００６０】
事故点ＦＢＴで事故が発生した上述の例では、計測値を零に設定しないことを示す論理値“０”が第２計測値設定部１２３２から第２母線比率差動リレーＲＤｆＢに入力する。そこで、第６電流センサＣＴ６が計測した電流と第３電流センサＣＴ３及び第４電流センサＣＴ４が計測した電流との差電流が零でない限り、第２母線比率差動リレーＲＤｆＢは、前述したような第２母線保護動作を実行する。
【００６１】
一方、事故点ＦＢＴで事故が発生した上述の例では、計測値を零に設定することを示す論理値“１”が第１計測値設定部１２３１から第１母線比率差動リレーＲＤｆＡに入力する。そこで、第１母線比率差動リレーＲＤｆＡは、入力した論理値に従って第５電流センサＣＴ５が計測した電流を零に変更する。第５電流センサＣＴ５が計測した電流が零に変更された場合、第１電流センサＣＴ１及び第２電流センサＣＴ２が計測した電流と、第５電流センサＣＴ５が計測した電流との差電流は零にならない。そこで、第１母線比率差動リレーＲＤｆＡは、計算した差電流に基づいて第１母線保護動作を実行する。すなわち、第１母線比率差動リレーＲＤｆＡは、遮断器開放指令を第１遮断器ＣＢ１、第２遮断器ＣＢ２、及びブスタイ遮断器ＣＢＢＴへ出力する。この結果、第１遮断器ＣＢ１及び第２遮断器ＣＢ２は、入力した遮断器開放指令に従って開き、第１母線ＬＡは、事故点ＦＢＴでの事故から保護される。
【００６２】
このように、第２母線比率差動リレーＲＤｆＢが遮断器開放指令を出力した後にブスタイＢＴでの過電流の検出と第１母線ＬＡでの過電圧の検出とが継続している場合には、第５電流センサＣＴ５による電流計測値が零に変更される。この結果、第１母線比率差動リレーＲＤｆＡは、計算した差電流に基づいて第１母線保護動作を実行する。したがって、実施形態に従った母線保護装置によれば、二重母線方式において、ブスタイに流れる電流を計測する電流センサの配置に関係なく母線保護を実行できる。
【００６３】
なお、仮に、ブスタイ遮断器ＣＢＢＴの開放を示す開信号がブスタイ遮断器ＣＢＢＴから第１母線比率差動リレーＲＤｆＡに入力するように母線保護装置を構成した場合には、第１母線比率差動リレーＲＤｆＡは、該開信号に従ってブスタイでの電流計測値を零に変更し得る。しかしながら、ブスタイ遮断器ＣＢＢＴの開閉信号をブスタイ遮断器ＣＢＢＴが出力するためには、該開閉信号用の出力端子がブスタイ遮断器ＣＢＢＴ側に設けられる必要がある。こうした出力端子をブスタイ遮断器ＣＢＢＴ側に設けることは変電所の配電盤の構成によっては難しい場合がある。上述したように、実施形態に従った母線保護装置では、ブスタイ遮断器ＣＢＢＴの開放を示す開信号がブスタイ遮断器ＣＢＢＴから入力されなくても二重母線の保護を実行できる。
【００６４】
＜＜第２の構成例＞＞
図６は、実施形態に従った母線保護装置の第２の構成例を示す図である。図６に示す第２の構成例において、図２に示す第１の構成例と同様の構成要素には同様の参照符号が付されている。図６に示す第２の構成例では、母線保護装置２は、アナログ／デジタル（Ａ／Ｄ）変換器１１及び処理部１３を備える。
【００６５】
処理部１３は、例えば、ＣＰＵ、マルチコアＣＰＵ、又はプログラマブルなデバイス（ＦＰＧＡやＰＬＤ等）である。処理部１３には、アナログ／デジタル変換器１１が出力した各電流及び各電圧が入力する。処理部１３は、入力した各電流及び各電圧に基づいて母線保護動作を実行する。
【００６６】
＜＜片母線保護＞＞
図２に示す第１の構成例と同様に、処理部１３は、第１母線比率差動リレーＲＤｆＡ及び第２母線比率差動リレーＲＤｆＢを含む。
【００６７】
例えば、地絡事故又は短絡事故といった事故が第１母線ＬＡの任意の事故点ＦＡで生じた場合、第１母線比率差動リレーＲＤｆＡは、第１の構成例と同様に、第１母線保護動作によって、事故が発生した電力系統から第１母線ＬＡを切り離し、第１母線ＬＡを保護する。また、地絡事故又は短絡事故といった事故が第２母線ＬＢの任意の事故点ＦＢで生じた場合、第２母線比率差動リレーＲＤｆＢは、第１の構成例と同様に、第２母線保護動作によって、事故が発生した電力系統から第２母線ＬＢを切り離し、第２母線ＬＢを保護する。
【００６８】
＜＜盲点事故の場合＞＞
例えば、地絡事故又は短絡事故といった事故が事故点ＦＢＴに発生した場合、事故点ＦＢＴが第１保護区域ＺＡ及び第２保護区域ＺＢに存在するため、処理部１３は、次の説明のような第１母線保護動作及び第２母線保護動作を実行する。
【００６９】
事故点ＦＢＴで事故が発生した場合、第２母線比率差動リレーＲＤｆＢは、第１の構成例と同様に、計算した差電流に基づいて第２母線保護動作を実行する。しかしながら、事故点ＦＢＴで事故が発生した場合、第１の構成例と同様に、差電流に基づいては第１母線保護動作が実行されない。そこで、処理部１３は、以下で説明のように第１母線保護動作を実行し、発生した事故が盲点事故であることを検出し、事故を除去する。
【００７０】
図６に示すように、第１の構成例と同様に、処理部１３は、第１過電流検出部１２１Ａ、第２過電流検出部１２１Ｂ、第１母線異常電圧検出部１２２Ａ、及び第２母線異常電圧検出部１２２Ｂを含む。これらのユニットは、第１の構成例と同様の動作を実行する。
【００７１】
処理部１３は、第１動作遅延タイマＴＯＮ１、第２動作遅延タイマＴＯＮ２、第１復帰遅延タイマＴＯＦＦ１、第２復帰遅延タイマＴＯＦＦ２、第１論理積部ＡＮＤ１、及び第２論理積部ＡＮＤ２を含まない。処理部１３は、これらのユニットに代わり、排他的論理和部ＥＸＯＲを含む。
【００７２】
排他的論理和部ＥＸＯＲには、第１母線異常電圧検出部１２２Ａ及び第２母線異常電圧検出部１２２Ｂが出力した異常電圧検出信号が入力する。ブスタイ遮断器ＣＢＢＴは、事故が発生していない通常運用時には閉じており、第１母線ＬＡ及び第２母線ＬＢはブスタイ遮断器ＣＢＢＴを通じて接続している。このため、第１母線ＬＡ側の第１母線異常電圧検出部１２２Ａと第２母線ＬＢ側の第２母線異常電圧検出部１２２Ｂとは同時に動作及び復帰する。したがって、第１母線異常電圧検出部１２２Ａ及び第２母線異常電圧検出部１２２Ｂの一方が異常電圧検出信号を出力した場合には、ブスタイ遮断器ＣＢＢＴは閉から開へ変化したと判定可能である。そこで、第２母線比率差動リレーＲＤｆＢが第２母線保護動作を実行することによってブスタイ遮断器ＣＢＢＴが開くと、例えば、異常電圧検出信号として論理値“１”の信号が排他的論理和部ＥＸＯＲに入力する。
【００７３】
処理部１３は、第１計測値設定部１２３１及び第２計測値設定部１２３２の代わりに、第３計測値設定部１２３３及び第４計測値設定部１２３４を含む。
【００７４】
第３計測値設定部１２３３には、第１過電流検出部１２１Ａが出力した論理値と排他的論理和部ＥＸＯＲが出力した論理値とが入力する。第３計測値設定部１２３３は、入力した２つの論理値の論理積を演算し、演算結果である論理値を第１母線比率差動リレーＲＤｆＡへ出力する。また、第４計測値設定部１２３４には、第２過電流検出部１２１Ｂが出力した論理値と排他的論理和部ＥＸＯＲが出力した論理値とが入力する。第４計測値設定部１２３４は、入力した２つの論理値の論理積を演算し、演算結果である論理値を第２母線比率差動リレーＲＤｆＢへ出力する。
【００７５】
第３計測値設定部１２３３が出力する論理値は、第５電流センサＣＴ５が計測した電流、すなわち、第１母線ＬＡからブスタイＢＴに流出した電流の計測値を零に設定するか否かを示す論理値である。また、第４計測値設定部１２３４が出力する論理値は、第６電流センサＣＴ６が計測した電流、すなわち、ブスタイＢＴから第２母線ＬＢに流入した電流の計測値を零に設定するか否かを示す論理値である。例えば、論理値“１”は、計測値を零に設定することを示す論理値であり、論理値“０”は、計測値を零に設定しないことを示す論理値である。このように、第１計測値設定部１２３１及び第２計測値設定部１２３２と同様に、第３計測値設定部１２３３及び第４計測値設定部１２３４は、ブスタイに流れた電流の計測値を零に設定するユニットである。
【００７６】
事故点ＦＢＴで事故が発生した場合に第２母線比率差動リレーＲＤｆＢが第２母線保護動作を実行すると、第２過電流検出部１２１ＢはブスタイＢＴに流れた過電流を検出する。この結果、第４計測値設定部１２３４は、計測値を零に設定することを示す論理値“１”を第２母線比率差動リレーＲＤｆＢへ出力する。また、第１過電流検出部１２１ＡはブスタイＢＴに流れた過電流を検出し、第１母線異常電圧検出部１２２Ａは第１母線ＬＡに印加された異常電圧を検出する。この結果、第３計測値設定部１２３３は、計測値を零に設定することを示す論理値“１”を第１母線比率差動リレーＲＤｆＡへ出力する。
【００７７】
第１母線比率差動リレーＲＤｆＡは、第３計測値設定部１２３３から入力した論理値に従って第５電流センサＣＴ５が計測した電流、すなわち、第１母線ＬＡからブスタイＢＴに流出した電流の計測値を変更する。また、第２母線比率差動リレーＲＤｆＢは、第４計測値設定部１２３４から入力した論理値に従って第６電流センサＣＴ６が計測した電流、すなわち、ブスタイＢＴから第２母線ＬＢに流入した電流の計測値を変更する。
【００７８】
事故点ＦＢＴで事故が発生した上述の例では、計測値を零に設定することを示す論理値“１”が第４計測値設定部１２３４から第２母線比率差動リレーＲＤｆＢに入力する。差電流第２母線比率差動リレーＲＤｆＢは、入力した論理値に従って第６電流センサＣＴ６が計測した電流を零に変更する。第６電流センサＣＴ６が計測した電流が零に変更された場合、第３電流センサＣＴ３及び第４電流センサＣＴ４が計測した電流と、第６電流センサＣＴ６が計測した電流との差電流は零にならない。そこで、第２母線比率差動リレーＲＤｆＢは、前述したような第２母線保護動作を実行する。
【００７９】
また、事故点ＦＢＴで事故が発生した上述の例では、計測値を零に設定することを示す論理値“１”が第３計測値設定部１２３３から第１母線比率差動リレーＲＤｆＡに入力する。そこで、第１母線比率差動リレーＲＤｆＡは、入力した論理値に従って第５電流センサＣＴ５が計測した電流を零に変更する。第５電流センサＣＴ５が計測した電流が零に変更された場合、第１電流センサＣＴ１及び第２電流センサＣＴ２が計測した電流と、第５電流センサＣＴ５が計測した電流との差電流は零にならない。そこで、第１母線比率差動リレーＲＤｆＡは、計算した差電流に基づいて第１母線保護動作を実行する。すなわち、第１母線比率差動リレーＲＤｆＡは、遮断器開放指令を第１遮断器ＣＢ１、第２遮断器ＣＢ２、及びブスタイ遮断器ＣＢＢＴへ出力する。この結果、第１遮断器ＣＢ１及び第２遮断器ＣＢ２は、入力した遮断器開放指令に従って開き、第１母線ＬＡは、事故点ＦＢＴでの事故から保護される。
【００８０】
このように、実施形態に従った母線保護装置を第２の構成例のように構成した場合にも、第１の構成例と同様に、二重母線方式において、ブスタイに流れる電流を計測する電流センサの配置に関係なく母線保護を実行できる。
【００８１】
また、第１の構成例では、二重母線事故において一方の母線が保護され他方の母線がされていないことを判定するために、タイマを用いた時限調整が行われる。時限調整では、ブスタイ遮断器ＣＢＢＴの動作時間と、第１母線比率差動リレーＲＤｆＡ或いは第２母線比率差動リレーＲＤｆＢの復帰時間とが考慮される。また、時限調整では、第１過電流検出部１２１Ａ或いは第２過電流検出部１２１Ｂの動作時間と、第１母線異常電圧検出部１２２Ａ或いは第２母線異常電圧検出部１２２Ｂの動作時間とが考慮される。これに対して、第２の構成例では、第１の構成例のようにタイマを用いた時限調整をしなくても、より簡易な構成によって二重母線を保護できる。
【００８２】
また、第１の構成例および第２の構成例はデジタル回路を用いたが、本発明はこれに限定されるものではない。本発明は、単体の保護リレーとタイマリレーの組合せでも構成することができる。
【００８３】
本発明は、以上の実施の形態に限定されるものでなく、本発明の要旨を逸脱しない範囲内で種々の改良、変更が可能である。
【符号の説明】
【００８４】
１、２      母線保護装置
１１      アナログ／デジタル（Ａ／Ｄ）変換器
１２、１３  処理部
１２１Ａ      第１過電流検出部
１２１Ｂ      第２過電流検出部
１２２Ａ      第１母線異常電圧検出部
１２２Ｂ      第２母線異常電圧検出部
１２３１      第１計測値設定部
１２３２      第２計測値設定部
１２３３      第３計測値設定部
１２３４      第４計測値設定部
ＡＮＤ１      第１論理積部
ＡＮＤ２      第２論理積部
ＢＴ      ブスタイ
ＣＢ１      第１遮断器
ＣＢ２      第２遮断器
ＣＢ３      第３遮断器
ＣＢ４      第４遮断器
ＣＢＢＴ      ブスタイ遮断器
ＣＴ１      第１電流センサ
ＣＴ２      第２電流センサ
ＣＴ３      第３電流センサ
ＣＴ４      第４電流センサ
ＣＴ５      第５電流センサ
ＣＴ６      第６電流センサ
ＤＳ１      第１断路器
ＤＳ２      第２断路器
ＤＳ３      第３断路器
ＤＳ４      第４断路器
ＤＳ５      第５断路器
ＤＳ６      第６断路器
ＤＳ７      第７断路器
ＤＳ８      第８断路器
ＥＸＯＲ      排他的論理和部
Ｆ１、Ｆ２、ＦＢＴ      事故点
ＩＮＶ      反転器
ＬＡ      第１母線
ＬＢ      第２母線
Ｌ１      第１送電線
Ｌ２      第２送電線
Ｌ３      第３送電線
Ｌ４      第４送電線
ＬＤ１      第１負荷
ＬＤ２      第２負荷
Ｐ１      第１発電機
Ｐ２      第２発電機
ＰＳ      電力系統
ＲＤｆＡ      第１母線比率差動リレー
ＲＤｆＢ      第２母線比率差動リレー
ＴＯＦＦ１      第１復帰遅延タイマ
ＴＯＦＦ２      第２復帰遅延タイマ
ＴＯＮ１      第１動作遅延タイマ
ＴＯＮ２      第２動作遅延タイマ
ＶＴＡ      第１電圧センサ
ＶＴＢ      第２電圧センサ
ＺＡ      第１保護区域
ＺＢ      第２保護区域
【図１】
2019004661.tif 000003
【図２】
2019004661.tif 000004
【図３】
2019004661.tif 000005
【図４】
2019004661.tif 000006
【図５】
2019004661.tif 000007
【図６】
2019004661.tif 000008